(57)【要約】【課題】カラオケ演奏装置が盗難されたとしても、単独使用の続行を不可能とし、不正行為に対処できる楽曲ディスクが搭載可能なカラオケ演奏装置の提供。【解決手段】計測手段による測定値が所定の条件（所定の期間ないし日付、楽曲の演奏時間、楽曲の演奏回数、楽曲の登録回数）にて、楽曲ディスクに規定された所定の設定値に達した後、楽曲の予約登録の禁止処理ないし予約された楽曲の演奏の禁止処理を行い、新たな楽曲ディスクが規定する新規の設定値が設定される毎に、測定値を初期値にリセットする。【選択図】図１
2005078056.tif 000002
【特許請求の範囲】
【請求項１】
所定の演奏データを記録した楽曲ディスクが搭載可能なカラオケ演奏装置において、少なくともディスクデータ蓄積手段と、中央処理手段と、計測手段とを備え、前記ディスクデータ蓄積手段は、搭載された楽曲ディスクのディスクデータを蓄積し、前記中央処理手段は、リクエスト装置にて予約登録された楽曲の演奏データを前記ディスクデータ蓄積手段から受け取って該楽曲の演奏を行い、前記計測手段は、所定の期間ないし日付を計測し、その計測期間ないし日付が前記楽曲ディスクに規定された所定の設定値に達した後は、楽曲の予約登録の禁止処理ないし予約された楽曲の演奏の禁止処理が行われ、その計測期間ないし日付は、新たな楽曲ディスクが規定する新規の設定値が設定される毎に初期値にリセットされることを特徴とするカラオケ演奏装置。
【請求項２】
所定の演奏データを記録した楽曲ディスクが搭載可能なカラオケ演奏装置において、少なくともディスクデータ蓄積手段と、中央処理手段と、計測手段とを備え、前記ディスクデータ蓄積手段は、搭載された楽曲ディスクのディスクデータを蓄積し、前記中央処理手段は、リクエスト装置にて予約登録された楽曲の演奏データを前記ディスクデータ蓄積手段から受け取って該楽曲の演奏を行い、前記計測手段は、前記楽曲の演奏時間を計測し、その計測演奏時間が前記楽曲ディスクに規定された所定の設定値に達した後は、楽曲の予約登録の禁止処理ないし予約された楽曲の演奏の禁止処理が行われ、その計測演奏時間は、新たな楽曲ディスクが規定する新規の設定値が設定される毎に初期値にリセットされることを特徴とするカラオケ演奏装置。
【請求項３】
所定の演奏データを記録した楽曲ディスクが搭載可能なカラオケ演奏装置において、少なくともディスクデータ蓄積手段と、中央処理手段と、計測手段とを備え、前記ディスクデータ蓄積手段は、搭載された楽曲ディスクのディスクデータを蓄積し、前記中央処理手段は、リクエスト装置にて予約登録された楽曲の演奏データを前記ディスクデータ蓄積手段から受け取って該楽曲の演奏を行い、前記計測手段は、前記楽曲の演奏回数を計測し、その計測演奏回数が前記楽曲ディスクに規定された所定の設定値に達した後は、楽曲の予約登録の禁止処理ないし予約された楽曲の演奏の禁止処理が行われ、その計測演奏回数は、新たな楽曲ディスクが規定する新規の設定値が設定される毎に初期値にリセットされることを特徴とするカラオケ演奏装置。
【請求項４】
所定の演奏データを記録した楽曲ディスクが搭載可能なカラオケ演奏装置において、少なくともディスクデータ蓄積手段と、中央処理手段と、計測手段とを備え、前記ディスクデータ蓄積手段は、搭載された楽曲ディスクのディスクデータを蓄積し、前記中央処理手段は、リクエスト装置にて予約登録された楽曲の演奏データを前記ディスクデータ蓄積手段から受け取って該楽曲の演奏を行い、前記計測手段は、前記楽曲の登録回数を計測し、その計測登録回数が前記楽曲ディスクに規定された所定の設定値に達した後は、楽曲の予約登録の禁止処理ないし予約された楽曲の演奏の禁止処理が行われ、その計測登録回数は、新たな楽曲ディスクが規定する新規の設定値が設定される毎に初期値にリセットされることを特徴とするカラオケ演奏装置。
【発明の詳細な説明】
【技術分野】
【０００１】  本発明は、所定の演奏データを記録した楽曲ディスクを搭載可能なカラオケ演奏装置に関し、さらに詳しくは、不正行為に対処できるカラオケ演奏装置に関する。
【背景技術】
【０００２】  現在、著しく普及しているカラオケ演奏装置は、通称「通信カラオケ」と呼ばれ、新規の演奏データなどを通信回線を利用してカラオケホスト装置から演奏データをダウンロードするものである。しかしながら、現在でも、通信回線のインフラを利用できない地域の都合や、あえて通信回線の利用を希望しないカラオケ演奏装置のユーザは、所定の演奏データを記録した楽曲ディスクから新規の演奏データなどをダウンロードするカラオケ演奏装置を利用している。
この種のカラオケ演奏装置では、旧タイプのものでは、オートチェンジ式レーザディスクドライブ装置を装備していたために装置自体が大型であったが、ＣＤやＤＶＤなどの小型ディスクの普及で、旧タイプのものに比べて装置自体が著しく小型化され、この小型化の傾向は、カラオケボックスや飲食店などの設置場所の有効利用や自由度が増えるなどといった長所があるものの、小型化されているが故に持ち運びが容易となり、取り外して持ち去られるといった危険性も高くなってしまった。そこで、小型化されたカラオケ演奏装置の盗難を防止するため、演奏装置の電源切断や演奏装置と所定の監視装置との接続回線の切断を検出して、演奏装置の盗難を報知するシステムが開発された。
【特許文献１】特開平１０−１８８１５０号公報
【発明の開示】
【発明が解決しようとする課題】
【０００３】  しかしながら、上記の従来技術では、盗難の行為自体を早急に察知できるものの、一旦盗難がなされてしまった場合には、カラオケ演奏装置自体は、数万曲に及ぶ楽曲を蓄積しているので、新規の演奏データを楽曲ディスクからダウンロードすることはできないが、それ以外の蓄積楽曲の演奏は可能であるため、十分に利用し続けることができてしまう。【０００４】  本発明は、このような問題を解決するためになされたもので、カラオケ演奏装置が盗難されたとしても、単独使用の続行を不可能とし、不正行為に対処できるカラオケ演奏装置の提供を目的とする。
【課題を解決するための手段】
【０００５】  本発明のカラオケ演奏装置は上記目的を達成するために提案されたもので、所定の演奏データを記録した楽曲ディスクが搭載可能なカラオケ演奏装置において、少なくともディスクデータ蓄積手段と、中央処理手段と、計測手段とを備え、前記ディスクデータ蓄積手段は、搭載された楽曲ディスクのディスクデータを蓄積し、前記中央処理手段は、リクエスト装置にて予約登録された楽曲の演奏データを前記ディスクデータ蓄積手段から受け取って該楽曲の演奏を行うものであって、前記計測手段による計測値が、所定の条件にて前記楽曲ディスクに規定された所定の設定値に達した後は、楽曲の予約登録の禁止処理ないし予約された楽曲の演奏の禁止処理が行われ、その計測値は、新たな楽曲ディスクが規定する新規の設定値が設定される毎に初期値にリセットされることを特徴とする。【０００６】  すなわち、請求項１記載の発明は、前記計測手段が所定の期間ないし日付を計測し、その計測期間ないし日付が前記楽曲ディスクに規定された所定の設定値に達した後は、楽曲の予約登録の禁止処理ないし予約された楽曲の演奏の禁止処理が行われ、その計測期間ないし日付は、新たな楽曲ディスクが規定する新規の設定値が設定される毎に初期値にリセットされることを特徴とすることを特徴とする。【０００７】  そして、その請求項２記載の発明は、前記計測手段が楽曲の演奏時間を計測し、その計測演奏時間が前記楽曲ディスクに規定された所定の設定値に達した後は、楽曲の予約登録の禁止処理ないし予約された楽曲の演奏の禁止処理が行われ、その計測演奏時間は、新たな楽曲ディスクが規定する新規の設定値が設定される毎に初期値にリセットされることを特徴とする。【０００８】  次に、その請求項３記載の発明は、前記計測手段が楽曲の演奏回数を計測し、その計測演奏回数が前記楽曲ディスクに規定された所定の設定値に達した後は、楽曲の予約登録の禁止処理ないし予約された楽曲の演奏の禁止処理が行われ、その計測演奏回数は、新たな楽曲ディスクが規定する新規の設定値が設定される毎に初期値にリセットされることを特徴とする。【０００９】  さらに、その請求項４記載の発明は、前記計測手段が楽曲の登録回数を計測し、その計測登録回数が前記楽曲ディスクに規定された所定の設定値に達した後は、楽曲の予約登録の禁止処理ないし予約された楽曲の演奏の禁止処理が行われ、その計測登録回数は、新たな楽曲ディスクが規定する新規の設定値が設定される毎に初期値にリセットされることを特徴とする。
【発明の効果】
【００１０】  上述の如くの本発明のカラオケ演奏装置では、その計測手段が所定の条件、すなわち、所定の期間ないし日付（請求項１）、楽曲の演奏時間（請求項２）、楽曲の演奏回数（請求項３）、楽曲の登録回数（請求項４）にて、特定の楽曲ディスクに規定された所定の設定値に達した後は、楽曲の予約登録の禁止処理ないし予約された楽曲の演奏の禁止処理が行われるため、新規の設定値を規定した新たな楽曲ディスクを搭載しない状態で使用を続ければ、当然の如く何時かは設定値に達するため、盗難後の不正使用の続行が不可能になり、結果的にカラオケ演奏装置の盗難防止に繋がる。
【発明を実施するための最良の形態】
【００１１】  以下、本発明のカラオケ演奏装置について、好適な実施例を挙げてさらに詳述する。
【実施例１】
【００１２】  図１は本発明の一実施例におけるカラオケ演奏装置の概略的構成であり、このカラオケ演奏装置（１）では、楽曲ディスク（Ｄ）がディスクホルダ（Ｈ）によって保持され、この楽曲ディスク（Ｄ）の演奏データはディスクデータ蓄積手段（２）に蓄積される。さらに、中央処理手段（３）内には演奏予約登録部（５）および演奏制御部（６）が組み込まれ、計測手段（４）にはタイマー（Ｔ）が組み込まれている。【００１３】  楽曲ディスク（Ｄ）には、「所定の設定値」の他、ディスクのＩＤであるシリアル番号や新譜の演奏データ（例えば２００曲程度）、あるいは所定の演奏装置への搭載予定日などが記録されている。そして、これらのディスクデータはディスクデータ蓄積手段（２）であるＨＤＤに蓄積されるが、このＨＤＤは複数であっても、あるいは複数のセクターに区画されていても構わない。なお、ディスクデータ蓄積手段（２）には、数万曲の演奏データが蓄積されており、通常、月１回程度の頻度で楽曲ディスクから新譜の演奏データが新たに蓄積される。【００１４】  次に、中央処理手段（３）内の演奏予約登録部（５）は、利用者が所望する楽曲を特定する楽曲番号が含まれた演奏予約データが、利用者インターフェイスであるリクエスト装置（Ｒ）にて入力された際、適宜な記憶部（図示せず）に演奏予約の待ち行列を作成し、楽曲の演奏順番を管理し、その中の楽曲番号がディスクデータ蓄積手段（２）に登録されている演奏可能な楽曲の番号であることを確認した上で、その楽曲番号を待ち行列に登録する機能を有するものである。【００１５】  さらに、演奏制御部（６）は、楽曲の予約登録に従って順次演奏する機能を有し、待ち行列から登録順に楽曲番号を取り出し、ディスクデータ蓄積手段（２）から該当する演奏データを取り出して処理する。登録された楽曲番号に対応する演奏データはＭＩＤＩデータやＡＤＰＣＭデータなどで表現された伴奏音楽の起源となる音楽演奏データからなり、この音楽演奏データを音源装置（図示せず）に送信することで演奏が行われる。【００１６】  そして、中央処理手段（３）と接続している計測手段（４）にはタイマー（Ｔ）が組み込まれており、このタイマー（Ｔ）は所定の期間ないし日付を計測するもので、楽曲ディスク（Ｄ）には、例えば、５０日間という期間が規定されており、この設定値は、通常、ディスクデータ蓄積手段（２）に書き込まれる。また、この書き込みは、新たな楽曲ディスクが搭載され、該楽曲ディスクが規定する新規の設定値が設定される毎に更新されると共に、タイマー（Ｔ）の測定値は初期値にリセットされる。例えば、特定の楽曲ディスクの指定日から計測を始めて５０日をカウントすると、その旨の信号を中央処理手段（３）が計測手段（４）から受け取り、楽曲の予約登録の禁止処理ないし予約された楽曲の演奏の禁止処理が行われる。したがって、このカラオケ演奏装置（１）を使用し続けるためには、５０日を経過する前に新たな楽曲ディスクを搭載し、該楽曲ディスクが規定する新規の設定値にて設定し直せばよい。
なお、本発明においては、期間の変わりに日付を設定してもよく、例えば、期間５０日の代わりに、特定の楽曲ディスクの指定日から５０日後の該日付そのものを規定しても構わない。【００１７】  また、このタイマー（Ｔ）は楽曲の演奏時間を計測するものであってもよく、楽曲ディスク（Ｄ）には、例えば３００時間という楽曲の演奏時間が規定されており、特定の楽曲ディスクの指定日から計測を始めて演奏時間の累計が３００時間に達すると、楽曲の予約登録の禁止処理ないし予約された楽曲の演奏の禁止処理が行われる。【００１８】  次に、図２は本発明の別の実施例におけるカラオケ演奏装置の概略的構成であり、このカラオケ演奏装置（１）でも、楽曲ディスク（Ｄ）がディスクホルダ（Ｈ）によって保持され、この楽曲ディスク（Ｄ）の演奏データはディスクデータ蓄積手段（２）に蓄積される。さらに、中央処理手段（３）内には演奏予約登録部（５）および演奏制御部（６）が組み込まれている。【００１９】  そして、中央処理手段（３）と接続している計測手段（４）にはカウンタ（Ｃ）が組み込まれており、このカウンタ（Ｃ）は所定の処理が行われた回数を計測するものであり、楽曲ディスク（Ｄ）には、例えば、５０００回という演奏回数が規定されており、この規定情報は上述した如く、通常、ディスクデータ蓄積手段（２）に書き込まれる。また、この書き込みは、新たな楽曲ディスクが搭載され、該楽曲ディスクが規定する新規の設定値が設定される毎に更新されると共に、カウンタ（Ｃ）の測定値は初期値にリセットされる。例えば、演奏回数５０００回をカウントすると、その旨の信号を中央処理手段（３）が計測手段（４）から受け取り、楽曲の予約登録の禁止処理ないし予約された楽曲の演奏の禁止処理が行われる。したがって、このカラオケ演奏装置（１）を使用し続けるためには、５０００回を経過する前に新たな楽曲ディスクを搭載し、該楽曲ディスクが規定する新規の設定値にて設定し直せばよい。【００２０】  さらに、このカウンタ（Ｃ）は予約楽曲の登録回数を計測するものであってもよく、楽曲ディスク（Ｄ）には、例えば、６０００回という楽曲の登録回数が規定されており、特定の楽曲ディスクの指定日から計測を始めて登録回数が６０００回に達すると、楽曲の予約登録の禁止処理ないし予約された楽曲の演奏の禁止処理が行われるようにしてもよい。【００２１】  以下、図３に示す本発明のカラオケ演奏装置の第１実施例のシステムフロー図に基づき本発明をさらに詳述する。【００２２】  先ず、カラオケ演奏装置が起動して使用が開始されると、利用者はリクエスト装置を用いて所望の楽曲を予約入力する（ステップＳ１）。そして、入力が確定して演奏予約登録部に演奏予約データが登録される（ステップＳ２）。
ここで、タイマーの計測期間が楽曲ディスクに規定された所定の設定値未満であれば、演奏制御部はそのまま該当する予約楽曲を演奏するが、設定値以上であると、中央処理手段がカラオケ演奏装置の使用を自動的に終了させ、予約楽曲の演奏は禁止される（ステップＳ３）。タイマーの計測値が所定の演奏時間内では、上記判断により、通常に予約楽曲が演奏され（ステップＳ４）、カラオケ演奏装置の使用を終了しない限り、そのまま演奏楽曲の予約が繰り返し受け付けられる（ステップＳ５）。【００２３】  次に、図４に示す本発明のカラオケ演奏装置の第２実施例のシステムフロー図に基づき本発明を詳述する。
先ず、カラオケ演奏装置が起動して使用が開始されると、利用者はリクエスト装置を用いて所望の楽曲を予約入力する（ステップＳ１）。
ここで、タイマーの計測期間が楽曲ディスクに規定された所定の設定値未満であれば入力が確定され、演奏予約登録部に演奏予約データが登録されるが、設定値以上であると、ソフト的なアクセスの拒否ないしハード的な内部回線の切断・切替などの処理を行って演奏予約登録を拒否し、楽曲の予約登録はできなくなる（ステップＳ２）。そして、上記判断により、通常に予約楽曲が登録された（ステップＳ３）場合は、演奏制御手段はそのまま該当する予約楽曲を演奏し（ステップＳ４）、カラオケ演奏装置の使用を終了しない限り、そのまま演奏楽曲の予約が繰り返し受け付けられる（ステップＳ５）。【００２４】  さらに、図５に示す本発明のカラオケ演奏装置の第３実施例のシステムフロー図に基づき本発明を詳述する。
先ず、カラオケ演奏装置が起動して使用が開始されると、利用者はリクエスト装置を用いて所望の楽曲を予約入力する（ステップＳ１）。そして、入力が確定して演奏予約登録部に演奏予約データが登録される（ステップＳ２）。
ここで、タイマーが計測した演奏時間が、楽曲ディスクに規定された所定の設定値未満であれば、演奏制御部はそのまま該当する予約楽曲を演奏するが、設定値以上であると、中央処理手段がカラオケ演奏装置の使用を自動的に終了させ、予約楽曲の演奏は禁止される（ステップＳ３）。タイマーの計測値が所定の演奏時間内では、上記判断により、通常に予約楽曲が演奏され（ステップＳ４）、各楽曲の演奏時間はタイマーにより順次累計されて行く（ステップ５）。そして、カラオケ演奏装置の使用を終了しない限り、そのまま演奏楽曲の予約が繰り返し受け付けられる（ステップＳ６）。【００２５】  さらにまた、図６に示す本発明のカラオケ演奏装置の第４実施例のシステムフロー図に基づき本発明を詳述する。
先ず、カラオケ演奏装置が起動して使用が開始されると、利用者はリクエスト装置を用いて所望の楽曲を予約入力する（ステップＳ１）。ここで、タイマーが計測した演奏時間が、楽曲ディスクに規定された所定の設定値未満であれば入力が確定され、演奏予約登録部に演奏予約データが登録されるが、設定値以上であると、ソフト的なアクセスの拒否ないしハード的な内部回線の切断・切替などの処理を行って演奏予約登録を拒否し、楽曲の予約登録はできなくなる（ステップＳ２）。そして、上記判断により、通常に予約楽曲が登録された（ステップＳ３）場合は、演奏制御手段はそのまま該当する予約楽曲が演奏され（ステップＳ４）、各楽曲の演奏時間はタイマーにより順次累計されて行く（ステップ５）。そして、カラオケ演奏装置の使用を終了しない限り、そのまま演奏楽曲の予約が繰り返し受け付けられる（ステップＳ６）。【００２６】  さらに、図７に示す本発明のカラオケ演奏装置の第５実施例のシステムフロー図に基づき本発明を詳述する。
先ず、カラオケ演奏装置が起動して使用が開始されると、利用者はリクエスト装置を用いて所望の楽曲を予約入力する（ステップＳ１）。そして、入力が確定して演奏予約登録部に演奏予約データが登録される（ステップＳ２）。ここで、カウンタが計測した演奏回数が、楽曲ディスクに規定された所定の設定値未満であれば、演奏制御部はそのまま該当する予約楽曲を演奏するが、設定値以上であると、中央処理手段がカラオケ演奏装置の使用を自動的に終了させ、予約楽曲の演奏は禁止される（ステップＳ３）。カウンタの計測値が所定の演奏回数以内では、上記判断により、通常に予約楽曲が演奏され（ステップＳ４）、１楽曲毎の演奏回数はカウンタにより１づつ順次加算されて行く（ステップ５）。そして、カラオケ演奏装置の使用を終了しない限り、そのまま演奏楽曲の予約が繰り返し受け付けられる（ステップＳ６）。【００２７】  さらにまた、図８に示す本発明のカラオケ演奏装置の第６実施例のシステムフロー図に基づき本発明を詳述する。
先ず、カラオケ演奏装置が起動して使用が開始されると、利用者はリクエスト装置を用いて所望の楽曲を予約入力する（ステップＳ１）。ここで、カウンタが計測した演奏回数が、楽曲ディスクに規定された所定の設定値未満であれば入力が確定され、演奏予約登録部に演奏予約データが登録されるが、設定値以上であると、ソフト的なアクセスの拒否ないしハード的な内部回線の切断・切替などの処理を行って演奏予約登録を拒否し、楽曲の予約登録はできなくなる（ステップＳ２）。そして、上記判断により、通常に予約楽曲が登録された（ステップＳ３）場合は、演奏制御手段はそのまま該当する予約楽曲を演奏し（ステップＳ４）、１楽曲毎の演奏回数はカウンタにより１づつ順次加算されて行く（ステップ５）。そして、カラオケ演奏装置の使用を終了しない限り、そのまま演奏楽曲の予約が繰り返し受け付けられる（ステップＳ６）。【００２８】  そして、図９に示す本発明のカラオケ演奏装置の第７実施例のシステムフロー図に基づき本発明を詳述する。
先ず、カラオケ演奏装置が起動して使用が開始されると、利用者はリクエスト装置を用いて所望の楽曲を予約入力する（ステップＳ１）。ここで、カウンタが計測した登録回数が、楽曲ディスクに規定された所定の設定値未満であれば入力が確定され、演奏予約登録部に演奏予約データが登録されるが、設定値以上であると、ソフト的なアクセスの拒否ないしハード的な内部回線の切断・切替などの処理を行って演奏予約登録を拒否し、楽曲の予約登録はできなくなる（ステップＳ２）。そして、上記判断により、通常に予約楽曲が登録された（ステップＳ３）場合は、１楽曲毎の登録回数はカウンタにより１づつ順次加算され（ステップ５）、演奏制御手段はそのまま該当する予約楽曲を演奏する（ステップＳ４）。そして、カラオケ演奏装置の使用を終了しない限り、そのまま演奏楽曲の予約が繰り返し受け付けられる（ステップＳ６）。【００２９】  以上、詳述した如く、本発明のカラオケ演奏装置が盗難された場合、新規の設定値を規定した新たな楽曲ディスクを搭載しない状態で使用を続ければ、当然の如く何時かは設定値に達するため、盗難後の不正使用の続行が不可能になり、結果的にカラオケ演奏装置の盗難防止に繋がる。【００３０】  なお、本発明は、その基本概念を逸脱しない限り、種々の改変をなすことができると共に、その権利は当該改変されたものにも及ぶものであることは言うまでもない。
【図面の簡単な説明】
【００３１】
【図１】本発明のカラオケ演奏装置の一実施例における概略的構成図。
【図２】本発明のカラオケ演奏装置の別の実施例における概略的構成図。
【図３】本発明のカラオケ演奏装置の第１実施例のシステムフロー図。
【図４】本発明のカラオケ演奏装置の第２実施例のシステムフロー図。
【図５】本発明のカラオケ演奏装置の第３実施例のシステムフロー図。
【図６】本発明のカラオケ演奏装置の第４実施例のシステムフロー図。
【図７】本発明のカラオケ演奏装置の第５実施例のシステムフロー図。
【図８】本発明のカラオケ演奏装置の第６実施例のシステムフロー図。
【図９】本発明のカラオケ演奏装置の第７実施例のシステムフロー図。
【符号の説明】
【００３２】  １  カラオケ演奏装置
２  ディスクデータ蓄積手段
３  中央処理手段
４  計測手段
５  演奏予約登録部
６  演奏制御部
Ｄ  楽曲ディスク
Ｒ  リクエスト装置
【図１】
2005078056.tif 000003
【図２】
2005078056.tif 000004
【図３】
2005078056.tif 000005
【図４】
2005078056.tif 000006
【図５】
2005078056.tif 000007
【図６】
2005078056.tif 000008
【図７】
2005078056.tif 000009
【図８】
2005078056.tif 000010
【図９】
2005078056.tif 000011